(57)【要約】【課題】  従来の小型カメラにおける平面２極ステップモータを駆動装置とするレンズユニットの構成は、ネジ固定により一体化したモータユニットの構成であるため、各部材の厚みのバラツキによってカムの高さ位置が一定せず、この結果レンズユニットの高さ調整がずれてしまうという問題がある。【解決手段】  共通のフレームにレンズユニットと駆動用モータとを収納し、駆動用モータの構成としてネジ固定を用いずに、コイル体とステータとを積層して配設するとともに、駆動コイルの電気的接続を行なうための接続バネを兼用して圧接するようにした。【選択図】  図４
2009063648.tif 000002
【特許請求の範囲】
【請求項１】
フレームと該フレームに形成された各収納部にレンズユニットと駆動用モータとを収納し、前記駆動用モータによって前記レンズユニットの位置調整を行うカメラのレンズ駆動装置において、前記フレームに形成された駆動用モータを収納するためのモータ収納部はコイル体とステータを収納するモータ収納凹部と前記モータ収納凹部の上面側に段差形状の上プレート支持部と、前記モータ収納凹部の下面側に接続バネ貫通穴を設けた構成を有し、前記フレームのモータ収納凹部にはコイル巻芯の下面に電気的接続を行う接続基板を設けたコイル体と、ステータとを積層して配設するとともに前記上プレート支持部に上プレートを固定し、前記フレームの下面側には前記接続バネ貫通穴に配設された接続バネを挟んで回路基板を配設し、該回路基板を支持体を介して前記フレームに固定したことを特徴とするカメラのレンズ駆動装置。
【発明の詳細な説明】
【技術分野】
【０００１】
本発明は共通のフレームにレンズユニットと該レンズユニットを駆動するための駆動用モータとを設けたカメラのレンズ駆動装置に関し、さらに詳しくは駆動用モータの配置構成の改良に関する。
【背景技術】
【０００２】
最近、携帯電話やＰＨＳ等で撮像した画像をそのままメールに添付して送ることが出来るようなデジタルカメラ機能内蔵の電話機が販売されている。これら携帯電話のカメラ機能の多くはデジタルカメラと同じく、ＣＭＯＳセンサやＣＣＤセンサ等の固体撮像素子と、レンズや絞り部材等の光学系部材よりなるレンズユニットと、このレンズユニットを駆動する駆動用モータを備えた小型カメラが用いられている。
【０００３】
前記小型カメラは出来るだけ小型薄型化の必要があるため、前記レンズユニットを駆動するための駆動用モータとしては２極の永久磁石からなるロータと、このロータが入るロータ穴を有するステータとこのステータに固定されたコイル体とを平面状に配置した平面２極ステップモータが用いられるようになってきた（例えば特許文献１、特許文献２参照）。
【０００４】
しかし、特許文献１や特許文献２における平面２極ステップモータを駆動装置とするレンズユニットの構成は、平面２極ステップモータの構成としてコイル巻き芯、ステータ、上プレートを積層した状態でネジ固定により一体化し、この完成したモータユニットをカム部材を介してレンズユニットに結合する構成となっている。
【０００５】
【特許文献１】特開２００４−３６４４９０号公報
【特許文献２】特開２００６−２２１０９７号公報
【発明の開示】
【発明が解決しようとする課題】
【０００６】
しかし、特許文献１及び特許文献２のようなコイル巻き芯、ステータ、上プレートを積層した状態でネジ固定により一体化したモータユニットの構成では、各部材の厚みのバラツキによって上プレートの高さ位置が一定せず、この結果取り付けるカムの高さも変化してしまうことになる。したがってこのような高さにバラツキのあるモータユニットをカム部材を介してレンズユニットに結合した場合にはカムの高さ調整がうまくいかず、レンズユニットの駆動調整に誤差を生じる結果となり、また特に光軸方向の調整幅を大きく取る必要があるため、カメラモジュールの高さが高くなってしまう結果となる。
【０００７】
本発明の目的は上記問題に鑑みなされたもので、平面２極ステップモータを駆動装置とするレンズユニットの構成において、カムの高さ位置を安定化し、かつ組み立て性が良く、磁気特性に優れたカメラのレンズ駆動装置を提供することにある。
【課題を解決するための手段】
【０００８】
上記課題を解決するため、本発明において  フレームと該フレームに形成された各収納部にレンズユニットと駆動用モータとを収納し、前記駆動用モータによって前記レンズユニットの位置調整を行うカメラのレンズ駆動装置において、前記フレームに形成された駆動用モータを収納するためのモータ収納部はコイル体とステータを収納するモータ収納凹部と前記モータ収納凹部の上面側に段差形状の上プレート支持部と、前記モータ収納凹部の下面側に接続バネ貫通穴を設けた構成を有し、前記フレームのモータ収納凹部にはコイル巻芯の下面に電気的接続を行う接続基板を設けたコイル体と、ステータとを積層して配設するとともに前記上プレート支持部に上プレートを固定し、前記フレームの下面側には前記接続バネ貫通穴に配設された接続バネを挟んで回路基板を配設し、該回路基板を枠体を介して前記フレームに固定したことを特徴とする。
【発明の効果】
【０００９】
上記のごとく本発明においては、前記駆動用モータとレンズユニットとを共通のフレームに組み込み、かつ駆動用モータを構成するコイル巻き芯、ステータ、上プレートをバネ圧接によって一体化しているため、カムの高さ位置を安定化し、かつ組み立て性が良く、磁気特性に優れたカメラのレンズ駆動装置を得る事が出来る。
【発明を実施するための最良の形態】
【００１０】
以下図面により本発明のレンズ駆動装置の構成を説明する。図１は本発明のレンズ駆動装置の平面図、図２は図１のＡ−Ａ断面図、図３は図２に示す駆動用モータの主要部材を示すものであり、図３Ａは上面図、図３Ｂは裏面図である。また図４は図３ＢのＢ−Ｂ断面図、図５は図３ＢのＣ−Ｃ断面図である。
【００１１】
図１、図２において１０はレンズ駆動装置であり、支持体１に回路基板２とフレーム３が支持されている。そしてフレーム３にはモータ収納部４とレンズユニット収納部５の２つの凹部が形成されており、モータ収納部４には駆動用モータ２０が収納され、レンズユニット収納部５にはレンズユニット４０が収納されている。
【００１２】
そして駆動用モータ２０に取り付けられたカム６とレンズユニット４０に取り付けられた従動子７との結合によってレンズユニット４０にレンズホルダー４１を介して設けられたレンズ４２と回路基板２に取り付けられた光学センサー８との間の距離が調整されることによりカメラとしてのズーム調整やフォーカス調整が行なわれる。なお９は駆動用モータ２０の各駆動車の軸を受ける受部材である。
【００１３】
図３に示すように平面２極ステップモ−タである駆動用モータ２０の主要部品としては、後述するロータが入るロータ穴２１ａを有するステータ２１と、このステータ２１に固定された２個のコイル巻芯２３と、コイル巻芯２３に巻回されたコイル２４とによるコイル体３０が設けられている。そして図３Ｂに示すごとくコイル巻芯２３の両端には電気的接続を行うための接続基板２５が設けられており、この接続基板２５にはコイル２４の端末が接続されている。
【００１４】
また図３Ａに示すごとくステータ２１の上面側２１ｂは平坦面になっているが、図３Ｂに示すごとくステータ２１の下面すなわち裏面側２１ｃには２個のコイル巻芯２３がガイドピン２６によって位置決め固定されている。
【００１５】
図４はフレーム３に取り付けられた駆動用モータ２０の断面図であり、図３ＢにおけるＢ−Ｂ部分の断面を示している。すなわちフレーム３に設けられたモータ収納部４には、さらにコイル体とステータを収納するモータ収納凹部４ａとモータ収納凹部４ａの上面側に段差形状の上プレート支持部４ｂと、前記モータ収納凹部４ａの下面側に接続バネ貫通穴４ｃを設けた構成を有する。
【００１６】
次にフレーム３に対する駆動用モータ２０の各エレメントの組立て構成を説明する。フレーム３のモータ収納凹部４ａには段差部を用いてコイル巻芯２３の下面に電気的接続を行う接続基板２５を設けたコイル体３０と、ステータ２１とを積層して配設するとともに上プレート支持部４ｂに上プレート１１をネジ１２によって固定する。さらに前記フレーム３の下面側には前記接続バネ貫通穴４ｃとスペーサ１４に設けたガイド穴１４ａの内部に配設した接続バネ１５を挟んで回路基板２を配置し、該回路基板２を支持体１を介して前記フレーム３にネジ１６により固定する。
【００１７】
上記構成により、金属製の接続バネ１５によってコイル体３０の接続基板２５の電極パターンと、回路基板２の電極パターンとが電気的に接続されるとともに、接続バネ１５のバネ圧力によってコイル体３０とステータ２１との積層体が上プレート１１にしっかり圧接される。この結果駆動用モータ２０が上プレート１１を介してフレーム３に正しく位置決めされるとともに、コイル体３０のコイル巻芯２３とステータ２１とがしっかり圧接されて磁気的結合が良好に行なわれる。
【００１８】
図５はフレーム３に取り付けられた駆動用モータ２０の断面図であり、図３ＢにおけるＣ−Ｃ部分の断面を示している。そして図４と同一部材には同一番号を付し、重複する説明を省略する。すなわちフレーム３に設けられたモータ収納部４には、ステータ２１のロータ穴２１ａと上プレート１１に設けられたガイド穴１１ａの部分にロータ受部材１８が取り付けられており、このロータ受部材１８と受部材９との間にロータ３１が軸支されている。なお図示は省略したがこのロータ３１には所定の輪列を介してカム５が結合されており、このカム５の高さ位置は上プレート１１を基準としてフレーム３に正しく規制されている。
【００１９】
上記のごとく本発明においては、１つのフレーム３に対してレンズユニット４０を位置決めし、さらに上プレート１１を基準として駆動用モータ２０を位置決めしているので、共通のフレーム３に対してカム６と従動子７との位置関係が正確に規制され、レンズユニット４０を精度良く作動させることができる。また、駆動用モータ２０を構成するステータ２１とコイル体３０との結合を接続バネ１５のバネ力による圧接としているため、磁気的結合が良好となり変換機としての効率を高めることができる。
【図面の簡単な説明】
【００２０】
【図１】本発明のレンズ駆動装置の平面図である。
【図２】図１に示すレンズ駆動装置のＡ−Ａ断面図である。
【図３】図２に示す駆動用モータの主要部材を示すものであり、（Ａ）は上面図、（Ｂ）は裏面図である。
【図４】図３（Ｂ）に示す駆動用モータのＢ−Ｂ断面図である。
【図５】図３（Ｂ）に示す駆動用モータのＣ−Ｃ断面図である。
【符号の説明】
【００２１】
１    支持体
２    回路基板
３    フレーム
４    モータ収納部
４ａ  モータ収納凹部
４ｂ  上プレート支持部
４ｃ  接続バネ貫通穴
５    レンズユニット収納部
６    カム
７    従動子
８    光学センサー
９    受部材
１０  レンズ駆動装置
１１  上プレート  
１２，１６  ネジ            
１４  スペーサ
１５  接続バネ
１８  ロータ受部材
２０  駆動用モータ
２１  ステータ
２３  コイル巻芯
２４  コイル
２５  接続基板
３０  コイル体
３１  ロータ
４０  レンズユニット
４１  レンズホルダー
４２  レンズ
【図１】
2009063648.tif 000003
【図２】
2009063648.tif 000004
【図３】
2009063648.tif 000005
【図４】
2009063648.tif 000006
【図５】
2009063648.tif 000007